【事件の表示】
　特願２０１５−　１９２１５「偏光板，液晶パネル及び液晶表示装置」拒絶査定不服審判事件〔平成２８年　８月　８日出願公開，特開２０１６−１４２９４２〕について，次のとおり審決する。
【結　論】
　本件審判の請求は，成り立たない。
【理　由】
第１　事案の概要
　１　手続等の経緯
　特願２０１５−１９２１５号（以下「本件出願」という。）は，平成２７年２月３日の出願であって，その手続等の経緯の概要は，以下のとおりである。
平成３０年１０月１６日付け：拒絶理由通知書
平成３０年１２月２５日付け：意見書
平成３０年１２月２５日付け：手続補正書
平成３１年　４月　３日付け：拒絶査定
令和　元年　６月２６日付け：審判請求書
令和　元年　６月２６日付け：手続補正書
令和　元年　９月　４日付け：上申書
　２　補正について
　(1) 本件補正前の特許請求の範囲
　令和元年６月２６日にした手続補正（以下「本件補正」という。）前の（平成３０年１２月２５日にした手続補正後の）特許請求の範囲の請求項１及び請求項４の記載は，以下のとおりである。
　ア　請求項１
「　吸収型の偏光子と，
　前記偏光子の上に配置され，３８０〜５００ｎｍの波長域内にある青色光の透過を抑制する青色光透過抑制層と，
　前記偏光子における前記青色光透過抑制層とは反対側に配置され，面内位相差値が１０ｎｍ以下である熱可塑性樹脂フィルムと，
を含む，偏光板。」
　イ　請求項４
「　前記青色光透過抑制層と前記偏光子との間に配置される熱可塑性樹脂フィルムをさらに含む，請求項１〜３のいずれか１項に記載の偏光板。」
　(2) 本件補正後の特許請求の範囲
　本件補正後の特許請求の範囲の請求項１の記載は，次のとおりである。なお，下線は補正箇所を示す。
「　吸収型の偏光子と，
　前記偏光子の上に配置され，３８０〜５００ｎｍの波長域内にある青色光の透過を抑制する青色光透過抑制層と，
　前記偏光子における前記青色光透過抑制層とは反対側に配置され，面内位相差値が１０ｎｍ以下である熱可塑性樹脂フィルムと，
　
前記青色光透過抑制層と前記偏光子との間に配置される熱可塑性樹脂フィルムと，
を含む，偏光板。」
　３　補正について
　請求項１についてした本件補正は，特許請求の範囲の請求項１を削除して，請求項４を請求項１とする補正と考えることができる。
　したがって，請求項１についてした本件補正は，特許法１７条の２第５項１号に掲げる事項（３６条５項に規定する請求項の削除）を目的とするものである。
　４　原査定の拒絶の理由
　原査定の拒絶の理由は，概略，本件補正前の請求項４に係る発明は，本件出願前に日本国内又は外国において頒布された刊行物である，特開２０１４−２０２８６４号公報（以下「引用文献１」という。）に記載された発明及び周知技術に基づいて，本件出願前にその発明の属する技術の分野における通常の知識を有する者（以下「当業者」という。）が容易に発明をすることができたものであるから，特許法２９条２項の規定により特許を受けることができない，というものである。
　なお，周知技術を示す文献として，本件出願前に電気通信回線を通じて公衆に利用可能となった，国際公開第２０１４／１８５３１８号（以下「引用文献２」という。）が挙げられている。
第２　当合議体の判断
　１　本願発明
　本件出願の請求項１〜請求項７に係る発明は，本件補正後の特許請求の範囲の請求項１〜請求項７に記載された事項によって特定されるとおりのものであるところ，その請求項１に係る発明（以下「本願発明」という。）は，前記「第１」２(2)に記載したとおりのものである。
　２　引用文献等の記載及び引用発明
　(1) 引用文献１の記載
　原査定の拒絶の理由で引用された引用文献１（特開２０１４−２０２８６４号公報）は，本件出願前に日本国内又は外国において頒布された刊行物であるところ，そこには，以下の記載がある。なお，下線は当合議体が付したものであり，引用発明の認定や判断等に活用した箇所を示す。
　ア　「【発明の詳細な説明】
【技術分野】
【０００１】
　本発明は，液晶表示装置に関し，特に，液晶表示パネルの一部に特定範囲波長の光の透過率を低下させる樹脂層を形成した液晶表示装置に関する。
【背景技術】
【０００２】
　従来，液晶表示装置の光源装置であるバックライトの光源には，金属陰極を用いた蛍光管である冷陰極管が使用されていた。しかしながら，…(省略)…バックライトの光源としては，冷陰極管から白色ＬＥＤへの置換えが進んでいる。
…(省略)…
【０００４】
　白色ＬＥＤとしては，…(省略)…高い発光効率を得られることなどから，擬似白色ＬＥＤが多用されている。
…(省略)…
【発明の概要】
【発明が解決しようとする課題】
【０００９】
　前述した擬似白色ＬＥＤは，図９に示すように，波長４７０ｎｍ付近と波長５７５ｎｍ付近とにピークを持つ分光特性を示す。このうち，波長４７０ｎｍ付近にピークを持つ光は，発光素子である青色ＬＥＤの主要ピークである。
…(省略)…
【００１２】
　青色ＬＥＤから発光される光は，いわゆるブルーライトと呼ばれる波長３８０〜４９５ｎｍの光である。このブルーライトは，紫外線に最も近い性質を持っており，眼球の角膜や水晶体で吸収されずに網膜まで到達する性質があるため，ブルーライトを長時間見た場合には，目が疲れ易くなるなどの不具合が懸念される。
【００１３】
　また，２４時間の生体リズムを持つ人間は，朝日の青色光を全身に浴びることにより身体が覚醒し，夕暮れのオレンジ色の光を浴びることにより休眠状態へと導かれる。そのため，ブルーライトを含む光を夜間に浴びると生体リズムに乱れが生じ，昼間に疲れが残るなどの不具合も懸念される。
…(省略)…
【００１５】
　本発明の目的は，バックライト光源から発光され，液晶表示パネルを透過する光のうち，所定波長範囲の光の量を低減することのできる液晶表示装置を提供することにある。」
　イ　「【発明を実施するための形態】
【００２２】
…(省略)…
【００２３】
　（実施の形態１）
　図１は，本実施の形態１の
液晶表示装置
観察者側
から順に，波長４３０〜４８０ｎｍの光の透過を抑制する樹脂層１，液晶表示パネル２，バックライト光源である白色ＬＥＤ９と
バックライトアセンブリ１０を備え
【００２４】
　
液晶表示パネル２は，第１偏光板３と，ガラスなどの透明な絶縁材料からなる第１基板４および第２基板５と，第２偏光板８とを有し
第１基板４
および
第２基板５は，枠状のシール材６を介して互いに貼り合わされており，シール材６の内側には，第１基板４および第２基板５によって挟持された液晶層７が配置され
…(省略)…
【００２７】
　
第１基板４の前面に配置された樹脂層１は，
ベース樹脂に着色材を所定量混合した透明材料で構成され
…(省略)…
【００３４】
　図２のグラフの実線は，上記の
樹脂材料を第１偏光板３の表面に２００μｍ塗布して得られた
波長４３０〜４８０ｎｍの光の透過率が４０〜６０％で
…(省略)…
【００３６】
　液晶表示パネル２の前面側に上記樹脂層１を設けた本実施の形態１の液晶表示装置２０Ａによれば，樹脂層１を設けない場合と比較してわずかに黄色味がかった表示になるが，
観察者に照射されるブルーライトが抑制されるため，目に優しいだけでなく，生体リズムにも配慮した液晶表示装置
…(省略)…
【産業上の利用可能性】
【００６０】
　本発明は，白色ＬＥＤをバックライト光源に用いた液晶表示装置に適用することができる。」
　ウ　図１
「
                              
」
　エ　図２
「
 
」
　オ　図９
「
」
　(2) 引用発明
　引用文献１の【００２３】〜【００３６】には，【図１】とともに，引用文献１でいう「本実施の形態１の液晶表示装置」として，次の「液晶表示装置」の発明が記載されている（以下「引用発明」という。）。なお，「透明材料」と「樹脂材料」は，「樹脂材料」に用語を統一した。
「　観察者側から順に，波長４３０〜４８０ｎｍの光の透過を抑制する樹脂層１，液晶表示パネル２，バックライト光源である白色ＬＥＤ９とバックライトアセンブリ１０を備えた液晶表示装置であって，
　液晶表示パネル２は，第１偏光板３と，ガラスなどの透明な絶縁材料からなる第１基板４及び第２基板５と，第２偏光板８とを有し，第１基板４及び第２基板５は，枠状のシール材６を介して互いに貼り合わされており，シール材６の内側には，第１基板４及び第２基板５によって挟持された液晶層７が配置され，
　第１基板４の前面に配置された樹脂層１は，ベース樹脂に着色材を所定量混合した樹脂材料で構成され，
　樹脂材料を第１偏光板３の表面に２００μｍ塗布して得られた樹脂層１は，波長４３０〜４８０ｎｍの光の透過率が４０〜６０％である，
　観察者に照射されるブルーライトが抑制されるため，目に優しいだけでなく，生体リズムにも配慮した液晶表示装置。」
　(3) 引用文献２の記載
　原査定の拒絶の理由で引用された引用文献２（国際公開第２０１４／１８５３１８号）は，本件出願前に電気通信回線を通じて公衆に利用可能となった文献であるところ，そこには，以下の記載がある。
　ア　「技術分野
[0001]　本発明は，画像表示装置に関するものである。
…(省略)…
発明を実施するための形態
[0009]　本発明の画像表示装置は，画像表示セル，及び画像表示セルよりも視認側に位置する偏光板を有し，前記偏光板は偏光子の両側に偏光子保護フィルムが積層されており，偏光子保護フィルムの少なくとも一方は，活性エネルギー線硬化性接着剤を介して偏光子と積層されており，画像表示セルよりも視認側に紫外線吸収性粘着層を有する。」
　イ　「[0011]２．偏光板及び偏光子保護フィルム
　一般的に，液晶ディスプレイは画像表示セルの両側に偏光板を有する。この場合，視認側の偏光板を視認側偏光板，光源側の偏光板を光源側偏光板と称する。
…(省略)…
[0012]　偏光板は，フィルム状の偏光子の両側を２枚の保護フィルム（「偏光子保護フィルム」という）で挟んだ構造を有する。偏光子は，当該技術分野において使用される任意の偏光子（又は偏光フィルム）を適宜選択して使用することができる。代表的な偏光子としては，ポリビニルアルコール（ＰＶＡ）フィルム等にヨウ素等の二色性材料を染着させたものを挙げることができるが，これに限定されるものではなく，公知及び今後開発され得る偏光子を適宜選択して用いることができる。
…(省略)…
[0016]　
視認側偏光子の視認側偏光子保護フィルム
ポリエステル（例えば，ポリエチレンテレフタレート，及びポリエチレンナフタレート等）フィルム
などが挙げられる。
[0017]　
視認側偏光子の光源側偏光子保護フィルム
トリアセチルセルロース（ＴＡＣ）フィルム
複屈折性を有さないフィルムを用いることが好ましい
　ウ　「[0021]　視認側偏光子の視認側偏光子保護フィルムおよび視認側偏光子の光源側偏光子保護フィルムの少なくともいずれか一方が低透湿性フィルムである場合には，揮発成分のない活性エネルギー線硬化性接着剤が用いられる場合が多く，本発明を適応する上で好ましい形態である。中でも
視認側偏光子の視認側偏光子保護フィルムが低透湿性フィルムであると高温多湿での反りや偏光子機能の低下を抑制できるため好ましい
　３　対比及び判断
　(1) 対比
　本願発明と引用発明を対比する。
　ア　偏光子，青色光透過抑制層
　引用発明の「液晶表示装置」は，「観察者側から順に，波長４３０〜４８０ｎｍの光の透過を抑制する樹脂層１，液晶表示パネル２，バックライト光源である白色ＬＥＤ９とバックライトアセンブリ１０を備えた」ものである。また，引用発明の「液晶表示パネル２」は，「第１偏光板３と，ガラスなどの透明な絶縁材料からなる第１基板４及び第２基板５と，第２偏光板８とを有し」ている。
　ここで，上記「樹脂層１」の光に対する機能からみて，引用発明の「樹脂層１」は，３８０〜５００ｎｍの波長域内にある青色光の透過を抑制する層，すなわち青色光透過抑制層といえる。また，液晶表示装置に用いられる偏光板が，少なくとも偏光子として機能するフィルムを具備することは，技術常識である。そして，「樹脂層１」及び「第１偏光板３」の位置関係からみて，引用発明の「樹脂層１」は，偏光子として機能するフィルムの，視認側に配置されたものといえる。加えて，「視認側」を「上」と捉えることは，当業者の随意である。
　そうしてみると，引用発明の「液晶表示装置」と本願発明の「偏光板」は，「偏光子と」，「前記偏光子の上に配置され，３８０〜５００ｎｍの波長域内にある青色光の透過を抑制する青色光透過抑制層と」，「を含む」点で共通する。
　イ　偏光板
　上記アの相当関係を踏まえると，引用発明の「第１偏光板３」及び「樹脂層１」を併せたものは，本願発明でいう「偏光板」に相当する。
　(2) 一致点及び相違点
　ア　一致点
　本願発明と引用発明は，次の構成において一致する。
「　偏光子と，
　前記偏光子の上に配置され，３８０〜５００ｎｍの波長域内にある青色光の透過を抑制する青色光透過抑制層と，
を含む，偏光板。」
　イ　相違点
　本願発明と引用発明は，以下の点で相違する。
（相違点１）
　「偏光子」が，本願発明は，「吸収型の」ものであるのに対して，引用発明は，「吸収型の」ものとは特定されていない点。
（相違点２）
　「偏光板」が，本願発明は，「前記偏光子における前記青色光透過抑制層とは反対側に配置され，面内位相差値が１０ｎｍ以下である熱可塑性樹脂フィルム」を含むに対して，引用発明は，これが明らかではない点。
（相違点３）
　「偏光板」が，本願発明は，「前記青色光透過抑制層と前記偏光子との間に配置される熱可塑性樹脂フィルム」を含むに対して，引用発明は，これが明らかではない点。
　(3) 判断
　ア　相違点１について
　偏光子を，吸収型偏光子として構成するか，反射型偏光子として構成するかは，当業者が適宜決定し得る事項にすぎないところ，引用発明の「第１偏光板３」は，視認側の偏光板である。
　そして，視認側の偏光板は，通常，吸収型の偏光子を用いて構成される。
（当合議体注：バックライト側の偏光子は，光のリサイクルを目的として，反射型偏光子が用いられる場合もあるが，視認側については，高い偏光度を確保するため，吸収型の偏光子が採用される。）
　したがって，引用発明において，相違点１に係る本願発明の構成を採用することは，当業者における通常の選択肢にとどまるものである。
　イ　相違点２について
　偏光子の前面側，背面側の少なくとも一方に，複屈折を有しない熱可塑性樹脂フィルムを積層することは，周知技術である。例えば，引用文献２の[0017]にも，「視認側偏光子の光源側偏光子保護フィルム」として，「トリアセチルセルロース（ＴＡＣ）フィルム」等の「複屈折性を有さないフィルムを用いることが好ましい」との記載がある。
　また，引用発明の「第１偏光板３」は，視認側の偏光板であるから，「樹脂層１」とは反対側，すなわち，光源側偏光子保護フィルムには，「トリアセチルセルロース（ＴＡＣ）フィルム」等の「複屈折性を有さないフィルムを用いることが好ましい」といえる。そして，「トリアセチルセルロース（ＴＡＣ）フィルム」は，熱可塑性樹脂フィルムであり，また，「複屈折性を有さない」，すなわち面内位相差値が１０ｎｍ以下であるものも一般的である。
　したがって，引用発明において，相違点２に係る本願発明の構成を採用することは，周知技術を心得た当業者における，通常の創作能力の発揮の範囲内の事項である。
　ウ　相違点３について
　偏光板の耐久性を高めるということは自明な課題であるし，そのために必要な熱可塑性フィルムを適切な位置に積層させることは当業者の通常の創作能力の発揮の範囲内である。例えば，引用文献２の[0016]にも，「視認側偏光子の視認側偏光子保護フィルム」として，「ポリエステル（例えば，ポリエチレンテレフタレート，及びポリエチレンナフタレート等）フィルム」等が挙げられている。そして，「ポリエステル（例えば，ポリエチレンテレフタレート，及びポリエチレンナフタレート等）フィルム」は，熱可塑性樹脂フィルムである。
　したがって，引用発明において，相違点３に係る本願発明の構成を採用することも，周知技術を心得た当業者における，通常の創作能力の発揮の範囲内の事項である。
　(4) 発明の効果について
　本願発明の効果に関して，本件出願の明細書の【００１４】には，「本発明によれば，画面からの青色光の出射量が低減された液晶表示装置を提供することができる。この液晶表示装置によれば，専用の眼鏡がかけたり，画面にフィルムを外付けしたりすることなく，眼に入る青色光を軽減することができる。」と記載されている。
　しかしながら，引用発明の「液晶表示装置」は，「観察者に照射されるブルーライトが抑制されるため，目に優しいだけでなく，生体リズムにも配慮した」ものである。また，この作用は，引用発明の「波長４３０〜４８０ｎｍの光の透過を抑制する樹脂層１」の機能によるものと理解される。
　したがって，本願発明の効果は，引用発明も奏する効果にすぎない。
　(5) 請求人の主張について
　相違点３に関連して，審判請求人は，「引用文献２（国際公開第２０１４／１８５３１８号）は，偏光板の耐久性を高めることを開示しません。」（上申書の（３））と主張する。
　しかしながら，引用文献２の[0021]には，「視認側偏光子の視認側偏光子保護フィルムが低透湿性フィルムであると高温多湿での反りや偏光子機能の低下を抑制できるため好ましい」と記載されている。そして，上記(3)ウで挙げた「ポリエステル（例えば，ポリエチレンテレフタレート，及びポリエチレンナフタレート等）フィルム」（典型的には，ＰＥＴフィルム）は，偏光板における保護フィルムとして多用されてきたＴＡＣフィルムと比較して，低透湿性フィルムである。
　偏光板の耐久性を高めることは，引用文献２の記載からも理解可能な，自明な課題であるから，請求人の主張は採用できない。
　４　まとめ
　本願発明は，引用文献１に記載された発明及び周知技術に基づいて，本件出願前に当業者が容易に発明をすることができたものであるから，特許法２９条２項の規定により特許を受けることができない。
　したがって，他の請求項に係る発明について検討するまでもなく，本件出願は拒絶すべきものである。
　よって，結論のとおり審決する。